【手続補正書】
【提出日】平成24年3月8日(2012.3.8)
【手続補正１】
【補正対象書類名】特許請求の範囲
【補正対象項目名】全文
【補正方法】変更
【補正の内容】
【特許請求の範囲】
【請求項１】
流体調節デバイスであって、
流入口、流出口、および前記流入口と前記流出口との間に配置された喉部が形成されている弁本体と、
前記弁本体に結合され、バルブディスクと、該バルブディスクに作用可能に連結されたダイヤフラムとを有しているアクチュエータと、
前記弁本体の前記喉部内に配置されている選択された弁ポートと、
弁座高さと、
オリフィス直径とを備えており、
前記バルブディスクが、前記弁本体の中に配置され、前記ダイヤフラムに作用する前記弁本体の前記流出口の圧力の変化に応答して、開弁位置と閉弁位置との間を前記弁本体の前記喉部に対して移動するように構成されており、
前記選択された弁ポートは、前記バルブディスクが前記閉弁位置にあるとき、前記バルブディスクによりシールを形成して係合される弁座と、流体が前記選択された弁ポートを流れるための細長いオリフィスとを具備するおおむね円筒状部材を有しており、
前記弁座高さには、前記弁座が前記細長いオリフィスに沿って延びる距離が含まれ、前記オリフィス直径には、前記細長いオリフィスの内径が含まれており、
前記選択された弁ポートが複数の弁ポートから前もって選択され、該複数の弁ポートの各々が、オリフィス直径を具備する細長いオリフィスと、弁座高さを具備する弁座とを有しており、
前記複数の弁ポートの前記弁座高さが、前記複数の弁ポートの前記オリフィス直径に対して反比例して変わる、流体調節デバイス。
【請求項２】
前記複数の弁ポートが流れ容量をさらに有しており、前記複数の弁ポートの前記流れ容量が前記複数の弁ポートの前記弁座高さに反比例して変わる、請求項１に記載のデバイス。
【請求項３】
前記複数の弁ポートの前記細長いオリフィスが長手方向の寸法をさらに含んでおり、前記複数の弁ポートの前記細長いオリフィスの前記長手方向の寸法が前記複数の弁ポートの前記オリフィス直径に反比例して変わる、請求項１又は２に記載のデバイス。
【請求項４】
前記複数の弁ポートの各々の前記細長いオリフィスがおおむね均一に一定のオリフィス直径を有している、請求項１乃至３のいずれかに記載のデバイス。
【請求項５】
前記複数の弁ポートの各々が、本体部と、該本体部と前記弁座との間に配置された六角ナット部とをさらに有しており、前記選択された弁ポートの前記本体部が前記弁本体の前記喉部と螺合するように構成されてなる、請求項１乃至４のいずれかに記載のデバイス。
【請求項６】
前記複数の弁ポートの各々の前記弁座が、前記六角ナット部から着座縁部へと先細になって行くおおむねテーパ形状の断面を具備したリング形状の弁座を含んでおり、前記バルブディスクが前記閉弁位置にあるとき、前記選択された弁ポートの前記着座縁部が前記バルブディスクによって係合されるように構成されてなる、請求項５に記載のデバイス。
【請求項７】
前記複数の弁ポートの前記本体部および前記六角ナット部が同一である、請求項５又は６に記載のデバイス。
【請求項８】
流体調節デバイスであって、
流入口、流出口、および前記流入口と前記流出口との間に配置された喉部が形成されている弁本体と、
前記弁本体に結合され、バルブディスクと、該バルブディスクに作用可能に連結されるダイヤフラムとを有するアクチュエータと、
前記弁本体の前記喉部内に配置された弁ポートと、
前記弁ポートに関する一組の選択されたパラメータとを備えており、
前記バルブディスクが、前記弁本体の中に配置され、前記ダイヤフラムに作用する前記弁本体の前記流出口の圧力の変化に応答して開弁位置と閉弁位置との間を前記弁本体の前記喉部に対して移動するように構成されており、
前記弁ポートが、前記喉部から着脱可能になっており、弁座と、前記弁ポートを貫通する細長いオリフィスとを具備するおおむね円筒状の部材を有しており、前記バルブディスクが前記閉弁位置にあるとき、前記弁座は前記バルブディスクによりシールを形成して係合されるように構成されており、
前記一組の選択されたパラメータには、前記細長いオリフィスの内径を含むオリフィス直径および前記弁座が前記オリフィスに沿って延びる距離を含む弁座高さが含まれており、
前記一組のパラメータが複数の組のパラメータから前もって選択されており、各組のパラメータがオリフィス直径および弁座高さを含んでおり、前記複数の組のパラメータのうちの前記弁座高さが前記複数の組のパラメータのうちの前記オリフィス直径に対して反比例して変わる、流体調節デバイス。
【請求項９】
前記複数の組のパラメータが前記オリフィスの流れ容量をさらに含んでおり、前記複数の組のパラメータのうちの前記流れ容量が前記複数の組のパラメータのうちの前記弁座高さに反比例して変わる、請求項８に記載のデバイス。
【請求項１０】
前記複数の組のパラメータが前記オリフィスの長手方向の寸法を含んでおり、前記複数の組のパラメータの前記長手方向の寸法が前記複数の組のパラメータの前記オリフィス直径に反比例して変わる、請求項８又は９に記載のデバイス。
【請求項１１】
前記弁ポートの前記細長いオリフィスのオリフィス直径がほぼ均一に一定である、請求項８乃至１０のいずれかに記載のデバイス。
【請求項１２】
前記弁ポートが、本体部と、該本体部と前記弁座との間に配置される六角ナット部とをさらに有しており、前記本体部が前記弁本体の前記喉部と螺合するように構成されてなる、請求項８乃至１１のいずれかに記載のデバイス。
【請求項１３】
前記弁座が、前記六角ナット部から着座縁部へと先細になって行くおおむねテーパ形状の断面を具備したリング形状の弁座を有しており、前記バルブディスクが前記閉弁位置にあるとき、前記着座縁部が前記バルブディスクによって係合されるように構成されてなる、請求項１２に記載のデバイス。
【請求項１４】
流体調節デバイスであって、
流入口、流出口、および前記流入口と前記流出口との間に配置された喉部が形成されている弁本体と、
前記弁本体に結合され、バルブディスクと、該バルブディスクに作用可能に連結されたダイヤフラムとを有しているアクチュエータと、
前記弁本体の前記喉部内に配置され、おおむねシリンダ形状の部材を有する弁ポートとを備えており、
前記バルブディスクが、前記弁本体の中に配置され、前記ダイヤフラムによって検出される前記弁本体の前記流出口の圧力の変化に応答して、開弁位置と閉弁位置との間を前記弁本体の前記喉部に対して移動するように構成されており、
前記弁ポートが、弁座と、前記弁ポートを貫通するオリフィスとを有しており、前記バルブディスクが前記閉弁位置にあるとき、前記弁座が前記バルブディスクによりシールを形成して係合されるように構成されており、
前記弁ポートが複数の寸法パラメータを有し、該寸法パラメータには、弁座高さと、オリフィス長さと、オリフィス直径とが含まれており、
前記複数の寸法パラメータが、一組の可能な寸法パラメータから寸法パラメータの部分集合として選択され、
前記一組の可能な寸法パラメータのうちの前記弁座高および前記オリフィス長さが、前記一組の可能な寸法パラメータのうちの前記オリフィス直径に反比例して変わる、流体調節デバイス。 
【請求項１５】
前記弁ポートの前記複数の寸法パラメータが流れ容量をさらに含んでいる、請求項１４に記載のデバイス。
【請求項１６】
前記一組の可能な寸法パラメータの各部分集合が流れ容量をさらに含んでおり、前記一組の可能な寸法パラメータのうちの前記流れ容量が、前記一組の可能な寸法パラメータのうちの前記弁座高さおよび前記オリフィス長さに反比例して変わる、請求項１５に記載のデバイス。
【請求項１７】
前記弁ポートの前記オリフィスのオリフィス直径がほぼ均一に一定である、請求項１４乃至１６のいずれかに記載のデバイス。
【請求項１８】
前記弁ポートが、本体部と、該本体部と前記弁座との間に配置された六角ナット部とをさらに有しており、前記本体部が前記弁本体の前記喉部と螺合するように構成されてなる、請求項１４乃至１７のいずれかに記載のデバイス。
【請求項１９】
前記弁座高さが、前記弁ポートの前記六角ナット部とは反対側に向けて弁座が延びる距離として定義される、請求項１８に記載のデバイス。
【請求項２０】
前記弁座が、前記六角ナット部から着座縁部へと先細になって行くおおむねテーパ形状の断面を具備したリング形状の弁座を有しており、前記バルブディスクが前記閉弁位置にあるとき、前記着座縁部が前記バルブディスクにより係合されるように構成されてなる、請求項１８又は１９に記載のデバイス。
【請求項２１】
流体調節デバイスを取り付ける方法であって、
流体流入配管を弁本体の流入口に結合することと、
前記弁本体の流出口に流体流出配管を結合することと、
複数の弁ポートから一つの弁ポートを選択することと、
選択された前記弁ポートを前記弁本体の前記喉部に取り付けることとを含んでおり、
前記複数の弁ポートの各々が、弁座と、細長いオリフィスと、一組のパラメータとを有し、該一組のパラメータが、前記細長いオリフィスの直径を含むオリフィスの直径と、前記弁座が前記オリフィスに沿って延びる距離を含む弁座高さとを含んでおり、
前記複数の弁ポートの前記弁座高さが、前記複数の弁ポートの前記オリフィス直径に対して反比例して変わる、流体調節デバイスを取り付ける方法。
【請求項２２】
弁本体と、該弁本体を流れる流体の流れを制御するためのアクチュエータとを有する流体調節デバイスの弁ポートを設計するための方法であって、
前記弁本体の喉部の内径と合致する前記弁ポートの本体部の外径を決定することと、
前記弁ポートの所望の流れ容量を決定することと、
前記弁ポートを貫通する細長いオリフィスの内径を決定することと、
前記弁ポートの弁座の軸方向の寸法を決定することとを含んでおり、
前記内径が前記所望の流れ容量の関数として決定され、
前記軸方向の寸法には、前記弁ポートが取り付けられたとき前記弁座が前記弁本体の前記喉部とは反対側に向けて延びる距離が含まれ、
前記弁座の前記軸方向の寸法が、前記弁ポートの前記流れ容量および前記細長いオリフィスの内径のうちの少なくとも一つの関数として決定される、方法。